(57)【要約】【課題】スペースダイバシティ同相合成回路において、同相合成する主受信機と副受信機間のアンテナはフェ−ジング対策を有利にする為距離を離す必要があるが、受信機間のＬＯＣＡＬ信号のケ−ブル内での減衰のために十分に距離がとれないという問題があった。【解決手段】ＬＯＣＡＬ周波数を本来必要な周波数の１／ｎの周波数を用いて、ＲＦ帯からＩＦ帯にミックスダウンする直前にｎ倍にし、ケ−ブルの減衰量を低くすることにより、主受信機アンテナと副受信機アンテナの距離の制限を少なくしてフェ−ジング対策を有利にすることができる。【選択図】  図１
2004172683.tif 000002
【特許請求の範囲】
【請求項１】
主受信機及び前記主受信機とケーブルで信号のやりとりを行う副受信機からなり、前記主受信機と前記副受信機それぞれのＩＦ信号の同相合成を行うスペースダイバシティ同相合成回路であって、前記主受信機は外部から主受信機ＲＦ信号を受信するアンテナと、１／ｎの周波数のＬＯＣＡＬ信号を前記主受信機内部及び前記副受信機に出力する局部発振器と、前記１／ｎの周波数のＬＯＣＡＬ信号をｎ逓倍し、かつ該ＬＯＣＡＬ信号を用いて前記主受信機ＲＦ信号を主受信機ＩＦ信号に変換して前記副受信機に出力するハーモニックミキサとからなり、前記副受信器は外部から副受信機ＲＦ信号を受信するアンテナと、前記１／ｎの周波数のＬＯＣＡＬ信号をｎ逓倍し、かつ該ＬＯＣＡＬ信号を用いて前記副受信機ＲＦ信号を副受信機ＩＦ信号に変換するハーモニックミキサとを有し、前記主受信機ＩＦ信号と前記副受信機ＩＦ信号を同相合成して前記主受信機に出力することを特徴とするスペースダイバシティ同相合成回路。
【発明の詳細な説明】
【０００１】
【発明の属する技術分野】
本発明はスペースダイバシティ同相合成回路に関し、特にマイクロ波通信網のフェ−ジング対策としてのスペ−スダイバシティ同相合成回路に関する。
【０００２】
【従来の技術】
従来のスペースダイバシティ同相合成回路は、主受信系と副受信系から取り込んだＲＦ帯の信号とＬＯＣＡＬ信号をミキサにてそれぞれＩＦ帯にミックスダウンして、その信号をそれぞれ分岐し、一方は位相検出系に取り込み、主受信系と副受信系の信号の位相の違いを検出し、もう一方の信号は合成され通信用の信号となる。位相検出器では、主受信系と副受信系の位相差を検出し、その差を副受信系側に送られるＬＯＣＡＬ信号に対して無限位相器（ＥＰＳ）を制御することにより、主受信系と副受信系の位相を合わせる。その結果通信用の信号においても位相が合い、主受信系信号と副受信系信号の同相合成が行われていた（例えば、特許文献１参照）。
【０００３】
【特許文献１】
特開平３−１８１３４号公報
【０００４】
【発明が解決しようとする課題】
上記従来のスペースダイバシティ同相合成回路においては、フェ−ジング対策として同相合成が行われる場合、主受信系側のアンテナと副受信系側のアンテナの距離を離す必要があるが、その距離はＬＯＣＡＬ信号のケ−ブルの減衰量とケ−ブル前後のアンプの出力／ノイズの特性とその対策により制限される為に必要十分な距離を離せないという問題があった。
【０００５】
本発明は上記問題点に鑑み、主受信系側アンテナと副受信系側アンテナの距離の制限を少なくしてフェ−ジング対策を有利にすることにある。
【０００６】
【課題を解決するための手段】
本発明のスペースダイバシティ同相合成回路は、主受信機及び前記主受信機とケーブルで信号のやりとりを行う副受信機からなり、前記主受信機と前記副受信機それぞれのＩＦ信号の同相合成を行うスペースダイバシティ同相合成回路であって、前記主受信機は外部から主受信機ＲＦ信号を受信するアンテナと、１／ｎの周波数のＬＯＣＡＬ信号を前記主受信機内部及び前記副受信機に出力する局部発振器と、前記１／ｎの周波数のＬＯＣＡＬ信号をｎ逓倍し、かつ該ＬＯＣＡＬ信号を用いて前記主受信機ＲＦ信号を主受信機ＩＦ信号に変換して前記副受信機に出力するハーモニックミキサとからなり、前記副受信器は外部から副受信機ＲＦ信号を受信するアンテナと、前記１／ｎの周波数のＬＯＣＡＬ信号をｎ逓倍し、かつ該ＬＯＣＡＬ信号を用いて前記副受信機ＲＦ信号を副受信機ＩＦ信号に変換するハーモニックミキサとを有し、前記主受信機ＩＦ信号と前記副受信機ＩＦ信号を同相合成して前記主受信機に出力することを特徴とする。
【０００７】
【発明の実施の形態】
次に、本発明の実施の形態について図面を参照して詳細に説明する。図１を参照すると、本発明の実施の形態は主受信機Ａと副受信機Ｂからなり、主受信機Ａは本来必要とする周波数の１／ｎの周波数のＬＯＣＡＬ信号を出力する局部発振器１と、ＬＯＣＡＬ信号を主受信機Ａ側と副受信機Ｂ側に分割するハイブリッド２と、入力されたＬＯＣＡＬ信号をｎ倍することにより通常の周波数のＬＯＣＡＬ信号にし、該通常の周波数のＬＯＣＡＬ信号を用いて主受信機Ａの受信信号をＲＦ帯からＩＦ帯にミキシングダウンするハ−モニックミキサ４と、回路のレベルダイヤに基づき、信号のレベルを調整するアンプ３，５，６とからなる。
【０００８】
副受信機Ｂは同様に入力された受信信号を、ＲＦ帯からＩＦ帯に変換するハ−モニックミキサ１１と、主側と副側のＩＦ信号をそれぞれ分割し、さらにそれぞれ合成するハイブリッド１３〜１６と、合成されたＩＦ信号の位相のずれを検出する位相検出回路１２と、１／ｎの周波数のＬＯＣＡＬ信号で位相の制御を行う場合、許容誤差も１／ｎとなるため、同相合成時に必要な位相制御の精度を得るために、回路も位相検出部／制御部で従来のｎ倍の精度が必要であり、位相検出回路への主と副の信号の電気長を必要な精度で合わせるための位相調整器１７，１８と、主信号系の主と副の信号の電気長を必要な精度で合わせるための位相調整器１９，２０と、検出されたＩＦ信号の位相デ−タをもとにＬＯＣＡＬ信号の位相の制御を行うＥＰＳ１０と、回路のレベルダイヤに基づき、信号のレベルを調整するアンプ７〜９とからなる。
【０００９】
次に本実施例の動作について説明を行う。局部発振器１から出力された本来必要とする周波数の１／ｎの周波数のＬＯＣＡＬ信号はハイブリッド２によってハーモニックミキサ４とアンプ５に分割入力される。ハ−モニックミキサ４は入力されたＬＯＣＡＬ信号をｎ逓倍して本来の周波数のＬＯＣＡＬ信号にし、該本来の周波数のＬＯＣＡＬ信号を利用して主受信機Ａのアンテナから入力されたＲＦ信号をＩＦ信号にミックスダウンする。この時、ハ−モニックミキサ４は歪やすい性質を持つため、アンプ３にて信号レベルを歪まないように合わせることが必要になる。このＩＦ信号及び局部発振器１からハイブリッド２を通して分配されたＬＯＣＡＬ信号の一部はそれぞれケ−ブル２１，２２を通して副受信機Ｂに送られる。
【００１０】
副受信機のアンテナから入力されたＲＦ信号は主受信機と同様にアンプ８にてレベルを調整しハ−モニックミキサ１１にてＩＦ信号にミックスダウンされる。この時用いられるＬＯＣＡＬ信号はＥＰＳ１０を通して位相制御が行われており、またハーモニックミキサ１１内でｎ逓倍され本来の周波数に戻されている。主受信機と副受信機のＩＦ信号はそれぞれハイブリッド１５，１３で分配され、主信号系は主受信機と副受信機の電気長を位相調整器１９，２０で同相合成を行うために必要な精度で合わせた上でハイブリッド１４で合成されアンプ９でレベルを調整した後、ケ−ブル２３を通して主受信機に送り返され、再びアンプ６でレベルを調整した後、受信機のＩＦ信号として出力される。
【００１１】
ハイブリッド１３，１５で分配されたもう一方の位相検出系は主受信機と副受信機の電気長を位相調整器１７，１８で同相合成を行うために必要な精度で合わせた上でハイブリッド１６で合成され、位相検出回路１２で主受信機と副受信機の位相差にしたがってＬＯＣＡＬ信号の位相をＥＰＳ１０にて制御し、主受信機と副受信機の位相差が検出できなくなるまで制御される。結果として主信号系で主受信機と副受信機の位相が必要な精度で合わせられ、同相合成されたＩＦ信号が出力される。
【００１２】
【発明の効果】
以上のように本発明によればケ−ブル２２を通るＬＯＣＡＬ信号の周波数が１／ｎと低くなるため、ケ−ブル減衰量が低下することとなり、ケーブル長を伸ばすことができるという効果がある。つまり、主受信機のアンテナと副受信機のアンテナの距離がとりやすくなり、フェ−ジング対策が有利になる。例えば、ｎ＝２とするとケ−ブルの減衰特性から従来の１．６倍（５Ｄケ−ブルの場合）主受信機と副受信機のアンテナを離すことが可能となる。
【図面の簡単な説明】
【図１】本発明の実施形態のシステム構成を示すブロック図である。
【符号の説明】
１  局部発振器
２，１３〜１６  ハイブリッド
３，５〜９  アンプ
４，１１  ハーモニックミキサ
１０  ＥＰＳ
１２  位相検出回路
１７〜２０  位相調整器
２１〜２３  ケーブル
【図１】
2004172683.tif 000003